(57)【要約】本発明は，移動体端末機とＰＯＳ（Ｐｏｉｎｔ  ｏｆ  Ｓａｌｅ：）端末機間のＩｒＦＭ（Ｉｎｆｒａｒｅｄ  Ｆｉｎａｎｃｉａｌ  Ｍｅｓｓａｇｉｎｇ）を利用したＥＭＢ（Ｅｕｒｏｐａｙ  Ｍａｓｔｅｒ  Ｖｉｓａ）支払処理を最適に行う方法に関する。本方法では，移動体端末機に内蔵されたカードチップに記録された情報に基づいて正当な使用者であると認証された場合に，取引承認のための情報をＰＯＳ端末機に送信し，ＰＯＳ端末機から承認応答があった場合に，取引に関するデジタル領収書をＰＯＳ端末機に送信する。その後，ＰＯＳ端末機から取引完了要求があった場合に，接続されたセッションを解除する。
2005507533.tif 000002
【特許請求の範囲】
【請求項１】
カードチップが内蔵された移動体端末機を用いたＩｒＦＭを利用したＥＭＶ支払処理方法において：
（ａ）前記移動体端末機内のカードチップと支払処理端末機によって支援される使用可能なアプリケーションのリストを選択した後，トランザクション処理を開始するステップと；
（ｂ）前記アプリケーションの１つであるオフカードソフトウェアモジュールによる認証手続によって前記移動体端末機の使用者のパスワードを確認し，正当な使用者と確認された場合に，入力された特定キーに応じて，前記移動体端末機と前記支払処理端末機との間の無線リンクを確立し，前記確立された無線リンクを介して前記支払処理端末機から信用要請メッセージを受信するステップと；
（ｃ）前記信用要請メッセージに応じて，承認要請メッセージおよび会員情報を前記支払処理端末機に送出するステップと；
（ｄ）前記オフカードソフトウェアモジュールによって，前記承認要請メッセージに対する応答として承認応答メッセージを前記支払処理端末機から受信し，前記カードチップに対し発行者認証を要請し，前記発行者認証がなされた場合，取引結果のデジタル領収書を前記支払処理端末機に送出するステップと；
（ｅ）前記オフカードソフトウェアモジュールによって，前記支払処理端末機からトランザクション完了メッセージを受信して，前記トランザクション処理のために接続されたセッションを解除するステップと；
を含むことを特徴とする，ＩｒＦＭを利用したＥＭＶ支払処理方法。
【請求項２】
前記（ａ）ステップでは，同期化のための命令であるゲットプロセシングオプション命令を前記カードチップに提供して，前記トランザクション処理の開始を通知することを特徴とする，請求項１に記載のＩｒＦＭを利用したＥＭＶ支払処理方法。
【請求項３】
前記トランザクション処理が開始されると，前記移動体端末機の前記オフカードソフトウェアモジュールによって，前記カードチップから前記トランザクション処理に必要なデータを読み出し，前記使用者を認証するための追加情報を受信するステップ
をさらに含むことを特徴とする，請求項１に記載のＩｒＦＭを利用したＥＭＶ支払処理方法。
【請求項４】
前記（ｂ）ステップでは，前記特定キーが入力されると，前記移動体端末機のアプリケーションソフトウェアモジュールによって，前記支払処理端末機から継続的に伝送される無線リンク接続のための接続要請メッセージに応じて，前記支払処理端末機への無線リンクを探索し，前記移動体端末機を前記無線リンクに接続することを特徴とする，請求項１に記載のＩｒＦＭを利用したＥＭＶ支払処理方法。
【請求項５】
前記特定キーは，処理モードをＩｒＦＭサーバモードに切り換えるために提供され，使用者識別番号から提供されることを特徴とする，請求項４に記載のＩｒＦＭを利用したＥＭＶ支払処理方法。
【請求項６】
前記支払処理端末機から信用要請メッセージを受信すると，前記オフカードソフトウェアモジュールによって，オンライン認証またはオフライン認証を決定するための第１のジェネレートアプリケーションクリプトグラムを，前記カードチップに提供するステップと；
前記カードチップによって，前記第１のジェネレートアプリケーションクリプトグラムに応じて，オンラインで認証を行うようにするという決定結果を前記オフカードソフトウェアモジュールに提供するステップと；
をさらに含むことを特徴とする，請求項１に記載のＩｒＦＭを利用したＥＭＶ支払処理方法。
【請求項７】
前記会員情報は，前記カードチップから選択されて読み出された情報であり，前記カードチップから読み出された会員情報は，メモリに格納されることを特徴とする，請求項１に記載のＩｒＦＭを利用したＥＭＶ支払処理方法。
【請求項８】
前記承認要請メッセージおよび前記会員情報が前記支払処理端末機に伝送された後に，前記支払処理端末機によって，前記会員情報を通信サービス会社に提供するとともに，前記承認要請メッセージをカード会社に提供するステップと；
前記支払処理端末機によって，前記カード会社から承認応答メッセージを受信して，前記受信した承認応答メッセージを前記移動体端末機の前記オフカードソフトウェアモジュールに送出するステップと；
をさらに含むことを特徴とする，請求項１に記載のＩｒＦＭを利用したＥＭＶ支払処理方法。
【請求項９】
前記発行者認証は，前記支払処理端末機から受信した前記承認応答メッセージが正常に承認された応答メッセージであるか否かを確認することによって，実行されることを特徴とする，請求項１に記載のＩｒＦＭを利用したＥＭＶ支払処理方法。
【請求項１０】
前記承認応答メッセージが正常に承認された応答メッセージであると確認された場合，
前記支払処理端末機とのトランザクション終了のための第２のジェネレートアプリケーションクリプトグラムを前記カードチップに提供するステップと；
前記カードチップによって，前記第２のジェネレートアプリケーションクリプトグラムに対する応答として，前記デジタル領収書を前記オフカードソフトウェアモジュールに提供するステップと；
前記オフカードソフトウェアモジュールによって，前記デジタル領収書を受信し，カードデータに関するデータに変更データがあるか否かを前記カードチップに対して問い合わせるステップと；
変更データがある場合，前記変更データに基づいて前記デジタル領収書を編集するステップと；
をさらに含むことを特徴とする，請求項１または９のいずれかに記載のＩｒＦＭを利用したＥＭＶ支払処理方法。
【請求項１１】
前記オフカードソフトウェアモジュールから前記デジタル領収書を受信すると，前記支払処理端末機は，前記受信したデジタル領収書を銀行サーバに提供し，前記銀行サーバから電子的に精算金額を受け取った後，前記トランザクション完了メッセージを前記オフカードソフトウェアモジュールに送出して，前記トランザクション処理のために接続されたセッションを解除することを特徴とする，請求項１に記載のＩｒＦＭを利用したＥＭＶ支払処理方法。
【発明の詳細な説明】
【技術分野】
【０００１】
本発明は，アイアールエフエム（Ｉｎｆｒａｒｅｄ  Ｆｉｎａｎｃｉａｌ  Ｍｅｓｓａｇｉｎｇ：ＩｒＦＭ）を利用したイーエムブイ（Ｅｕｒｏｐａｙ  Ｍａｓｔｅｒ  Ｖｉｓａ：ＥＭＶ）支払処理方法に関し，特に，移動体端末機と，支払処理端末機であるポス（Ｐｏｉｎｔ  Ｏｆ  Ｓａｌｅ：ＰＯＳ）端末機との間の最適トランザクション処理（Ｔｒａｎｓａｃｔｉｏｎ  Ｐｒｏｓｅｓｓｉｎｇ）のための方法に関する。
【背景技術】
【０００２】
一般に，ＩｒＦＭ（Ｉｎｆｒａｒｅｄ  Ｆｉｎａｎｃｉａｌ  Ｍｅｓｓａｇｉｎｇ）は，近い距離での赤外線通信方式であるＩｒＤＡ（Ｉｎｆｒａｒｅｄ  Ｄａｔａ  Ａｓｓｏｃｉａｔｉｏｎ）に基づいた金融決済トランザクションの規格のうち，特に保安に重点をおいた金融決済用赤外線通信技術である。このＩｒＦＭとの関連で，ＰＴＤ（Ｐｅｒｓｏｎａｌ  Ｔｒｕｓｔｅｄ  Ｄｅｖｉｃｅ）を利用したさまざまな環境における金融支払方式が提案されている。
【０００３】
従来のＰＯＳ（Ｐｏｉｎｔ  Ｏｆ  Ｓａｌｅ）端末機と，ＩＣ（Ｉｎｔｅｇｒａｔｅｄ  Ｃｉｒｃｕｉｔ）カードモジュールとの間のトランザクションは，常にＰＯＳ端末機から発生し，ＩＣカードモジュールは，常にＰＯＳ端末機からの要求に応答し得るように待機状態にある。したがって，ＩＣカードモジュールを持っている購買者は自分のＩＣカードモジュールを利用して，ＰＯＳ端末機からの要求に対する応答データを転送する必要がある。
【０００４】
このため，従来のＩｒＦＭ方式を用いたＥＭＶ支払処理においては，ＩＣクレジットカード支払のために，ＰＯＳ端末機とＩＣカードモジュールとの間のトランザクションが，両方向通信によって，複数回（少なくとも例えば９〜１０回）なされる必要があった。
【０００５】
図１は，従来のＥＭＶ支払処理方法を説明するためのフローチャートであり，ＰＯＳ端末機とＩＣカードモジュール間のトランザクションが複数回にわたって行われるフローを示している。
【０００６】
図１に示すように，まず，ステップＳ１では，ＩＣカードモジュールがＰＯＳ端末機に挿入され，リセット（ｒｅｓｅｔ）信号に応じてＰＯＳ端末機が初期化またはリセットされる（Ｓ１）。
【０００７】
ＰＯＳ端末機がリセットされると，次いで，ステップＳ２では，ＩＣカードモジュールおよびＰＯＳ端末機により支援されるアプリケーション（ａｐｐｌｉｃａｔｉｏｎ）のうち，トランザクションに使用されるアプリケーションが選択される。さらに，使用可能なアプリケーションのリストが作成され，このリストの中から１つのアプリケーションが選択される（Ｓ２）。
【０００８】
その後，ステップＳ３では，ＰＯＳ端末機は，ゲットプロセシングオプション（Ｇｅｔ  Ｐｒｏｃｅｓｓｉｎｇ  Ｏｐｔｉｏｎ）命令，すなわち同期化のための命令をＩＣカードモジュールに提供して，トランザクション処理が開始されたことを通知する（Ｓ３）。このとき，ＩＣカードモジュールは，ゲットプロセシングオプション命令に対応して，アプリケーションファイルロケーター（Ａｐｐｌｉｃａｔｉｏｎ  Ｆｉｌｅ  Ｌｏｃａｔｏｒ：ＡＦＬ）を，ＰＯＳ端末機に提供する。
【０００９】
次いで，ステップＳ４では，ＰＯＳ端末機は，ＩＣカードモジュールから，トランザクション処理に必要なアプリケーションデータを読み出す（Ｒｅａｄ  Ａｐｐｌｉｃａｔｉｏｎ  Ｄａｔａ）。このとき，このアプリケーションデータに対して，スタティックデータ認証（ｓｔａｔｉｃ  ｄａｔａ  ａｕｔｈｅｎｔｉｃａｔｉｏｎ：ＳＤＡ），またはダイナミックデータ認証（ｄｙｎａｍｉｃ  ｄａｔａ  ａｕｔｈｅｎｔｉｃａｔｉｏｎ：ＤＤＡ）のいずれにより，認証を行うかが決定される（Ｓ４）。
【００１０】
次いで，ステップＳ５では，ＰＯＳ端末機は，高い金額のオンライントランザクションに対して発行者（ｉｓｓｕｅｒ）の認証が要求されているか否か，或いは，オフライントランザクションでは検出できない不正使用を防止するために，周期的なオンライントランザクションによる認証が要求されているか否か，を判断する（Ｓ５）。
【００１１】
ここで，ＳＤＡは，ＩＣカードモジュールに関連するデータのうち，変更されないデータに対する認証手続である。このＳＤＡは，発行者によって記録されたデータが，変更されなかった否かを確認することによって成される。ＩＣカードモジュールに対するＳＤＡを行った後，ＩＣカードモジュールによって生成された署名（ｓｉｇｎａｔｕｒｅ）を認証することによって，ＤＤＡがなされる。
【００１２】
上記ステップＳ５でにおいて，オフライントランザクションデータ認証にＳＤＡ方法が使用される場合には，ステップＳ６において，ＰＯＳ端末機は，ＰＯＳ端末機とＩＣカードモジュールのデータに基づいて，プロセシングの制約条件をチェックする（ステップＳ６）。このチェックは，例えば，ＰＯＳ端末機とＩＣカードモジュールのアプリケーションバージョンナンバーを比較する条件や，カントリーコード（ｃｏｕｎｔｒｙ  ｃｏｄｅ）および非同期転送モードの使用可否を決定する条件，有効期間等をチェックする条件などを含む。
【００１３】
その後，ステップＳ７では，ＰＯＳ端末機は，使用者識別番号（ｐｅｒｓｏｎａｌ  ｉｄｅｎｔｉｆｉｃａｔｉｏｎ  ｎｕｍｂｅｒ：ＰＩＮ）により入力されるパスワードを検索し，ＩＣカードモジュール使用者が正当なカード使用者であるか否かを確認する（Ｓ７）。
【００１４】
ＩＣカードモジュール使用者のパスワードが有効である場合には，ステップＳ８で，ＰＯＳ端末機は，ＩＣカードモジュールによって決定されたトランザクション方式により，ＩＣカードモジュールに対し，ジェネレートアプリケーションクリプトグラム（Ｇｅｎｅｒａｔｅ  Ａｐｐｌｉｃａｔｉｏｎ  Ｃｒｙｐｔｏｇｒａｍ：Ｇｅｎｅｒａｔｅ  ＡＣ；生成アプリケーション暗号）を提供して，認証手続を完了する（Ｓ８）。
【００１５】
一方，上記ステップＳ５において，オンライントランザクションデータ認証にＳＤＡ方法が使用される場合には，ステップＳ９において，ＰＯＳ端末機は，オンラインで認証過程を実行可能とするためのＡＲＱＣ（Ａｕｔｈｏｒｉｚａｔｉｏｎ  Ｒｅｑｕｅｓｔ  Ｃｒｙｐｔｏｇｒａｍ：承認要請）によって，付加通信網のＶＡＮ（ｖａｌｕｅ  ａｄｄｅｄ  ｎｅｔｗｏｒｋ）を通じて，カード会社に対してオンラインプロセシングを要請する（Ｓ９）。
【００１６】
すると，カード会社のホストコンピューターは，トランザクション（取引）を許容するか，或いは拒否するかを決定するために，（１）オンラインリクエスト（ｏｎｌｉｎｅ  ｒｅｑｕｅｓｔ；オンライン要請），（２）オンラインレスポンス（ｏｎｌｉｎｅ  ｒｅｓｐｏｎｓｅ；オンライン応答），（３）発行者者認証（ｉｓｓｕｅｒ  ａｕｔｈｅｎｔｉｃａｔｉｏｎ）という３ステップを行い，認証手続を完了する（Ｓ１０）。
【００１７】
以上のように，ＩＣカードモジュール支払方式であるＥＭＶ取引では，ＩＣカードモジュールをＰＯＳ端末機に接続して取引を行う，しかしながら，ＩＣカードモジュールとＰＯＳ端末機間のトランザクション回数が多すぎるため，無線リンクの断絶が発生する可能性が高いという問題点があった。また，従来のＩＣカードモジュールを移動体端末機内にそのまま適用して，ＰＯＳ端末機との間で取引および認証手続を行う場合には，トランザクション回数が多くなってしまう。このため，ＰＯＳ端末機と移動体端末機との間で取引を完了させるためには，トランザクション開始から終了まで長時間を要するので，使用者は不便であるという問題があった。
【発明の開示】
【００１８】
本発明は，上記問題点に鑑みてなされたものであり，その目的は，集積回路（Ｉｎｔｅｇｒａｔｅｄ  ｃｉｒｃｕｉｔ：ＩＣ）が内蔵された移動体端末機と，支払処理端末機であるＰＯＳ端末機（Ｐｏｉｎｔ  Ｏｆ  Ｓａｌｅ  Ｔｅｒｍｉｎａｌ）との間のトランザクション（ｔｒａｎｓａｃｔｉｏｎ）処理を最適に行うことによって，取引および認証手続きを迅速に実行することが可能な，ＩｒＦＭ（アイアールエフエム；Ｉｎｆｒａｒｅｄ  Ｆｉｎａｎｃｉａｌ  Ｍｅｓｓａｇｉｎｇ）を利用したＥＭＶ（イーエムブイ；Ｅｕｒｏｐａｙ  Ｍａｓｔｅｒ  Ｖｉｓａ）支払処理方法を提供することにある。
【００１９】
上記目的を達成するため，本発明のある観点によれば，カードチップが内蔵された移動体端末機を用いたＩｒＦＭを利用したＥＭＶ支払処理方法が提供される。このＩｒＦＭを利用したＥＭＶ支払処理方法においては，（ａ）前記移動体端末機内のカードチップと支払処理端末機によって支援される使用可能なアプリケーションのリストを選択した後，トランザクション処理を開始するステップと；（ｂ）前記アプリケーションの１つであるオフカードソフトウェアモジュールによる認証手続によって前記移動体端末機の使用者のパスワードを確認し，正当な使用者と確認された場合に，入力された特定キーに応じて，前記移動体端末機と前記支払処理端末機との間の無線リンクを確立し，前記確立された無線リンクを介して前記支払処理端末機から信用要請メッセージを受信するステップと；（ｃ）前記信用要請メッセージに応じて，承認要請メッセージおよび会員情報を前記支払処理端末機に送出するステップと；（ｄ）前記オフカードソフトウェアモジュールによって，前記承認要請メッセージに対する応答として承認応答メッセージを前記支払処理端末機から受信し，前記カードチップに対し発行者認証を要請し，前記発行者認証がなされた場合，取引結果のデジタル領収書を前記支払処理端末機に送出するステップと；（ｅ）前記オフカードソフトウェアモジュールによって，前記支払処理端末機からトランザクション完了メッセージを受信して，前記トランザクション処理のために接続されたセッションを解除するステップと；を含むことを特徴とする，ＩｒＦＭを利用したＥＭＶ支払処理方法。
【００２０】
上記目的を達成するため，本発明の別の観点によれば，ＩｒＦＭを利用したＥＭＶ支払処理方法においては，（ａ）移動体端末機内のＩＣカードチップとＰＯＳ端末機によって支援される使用可能なアプリケーションのリストを選択した後，ゲットプロセシングオプション（ｇｅｔ  ｐｒｏｃｅｓｓｉｎｇ  ｏｐｔｉｏｎ）命令をＩＣカードチップに提供してトランザクション処理をスタートするステップと；（ｂ）トランザクション処理がスタートされた後，オフカード（ｏｆｆ−ｃａｒｄ）ソフトウェアモジュールで，オンライン認証過程によってＩＣカードチップが内蔵された移動体端末機の使用者（ｕｓｅｒ）のパスワードを確認し，正当な使用者と確認された場合，特定キーが押されることによって無線リンクが連結され，連結された無線リンクを通じてＰＯＳ端末機から信用要請メッセージを受信するステップと；（ｃ）信用要請メッセージに応答して承認要請メッセージと会員情報をＰＯＳ端末機に同時に送出するステップと；（ｄ）オフカードソフトウェアモジュールによって，承認要請に対する応答として承認応答メッセージをＰＯＳ端末機から受信した後，ＩＣカードチップに発行者（ｉｓｓｕｅｒ）認証を要請し，正常な発行者として認証された場合，トランザクション（取引）に対するデジタル領収書をＰＯＳ端末機に送出するステップと；（ｅ）オフカードソフトウェアモジュールによって，ＰＯＳ端末機からＩｒＦＭ遮断要求メッセージを受信した後，連結されたセッション（ｓｅｓｓｉｏｎ）を解除するステップと；を含むことを特徴とする。
【００２１】
かかる構成により，集積回路（ＩＣ）が内蔵された移動体端末機とＰＯＳ（ｐｏｉｎｔ  ｏｆ  ｓａｌｅ）端末機間で，無線リンク接続を介して，ＥＭＶベースのトランザクション処理を所定の回数（例えば２回）だけ行うことによって，取引および認証過程を迅速に実行することができる。このため，無線リンクの断絶発生の可能性を低減することができ，移動体端末機とＰＯＳ端末機間でトランザクションを行うために必要なトランザクション開始から終了までの時間を大幅に短くできる。よって，ＰＯＳ端末機との取引のために長時間にわたって使用者が移動体端末機を保持していなければならないという従来の不便さを解決できる。
【発明を実施するための最良の形態】
【００２２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２３】
図２は，本実施形態にかかるＩｒＦＭ（Ｉｎｆｒａｒｅｄ  Ｆｉｎａｎｃｉａｌ  Ｍｅｓｓａｇｉｎｇ）を利用したＥＭＶ（Ｅｕｒｏｐａｙ  Ｍａｓｔｅｒ  Ｖｉｓａ）支払処理方法を行うためのシステムを例示するブロック図である。このシステムは，移動体端末機（ｍｏｂｉｌｅ  ｃｏｍｍｕｎｉｃａｔｏｎ  ｔｅｒｍｉｎａｌ）１０と，支払処理端末機（支払処理端末）であるＰＯＳ端末機（Ｐｏｉｎｔ  Ｏｆ  Ｓａｌｅ  Ｔｅｒｍｉｎａｌ）２０と，を備える。
【００２４】
移動体端末機１０は，例えば，一般の使用者が使用する携帯電話端末機であり，その内部にはＩＣカードチップ１４が内蔵されている。この移動体端末機１０は，さらに，ソフトウェア（ｓｏｆｔｗａｒｅ）モジュールであるオフカード（ｏｆｆ−ｃａｒｄ）ソフトウェアモジュール１２と，ＩｒＦＭアプリケーションソフトウェアモジュール１６とを備えている。
【００２５】
オフカードソフトウェアモジュール１２は，使用者に関する会員情報（ｍｅｍｂｅｒｓｈｉｐ  ｉｎｆｏｒｍａｔｉｏｎ）をＩＣカードチップ１４から選択して読み出し，臨時メモリ（図示せず）に一時的に格納する。その後，オフカードソフトウェアモジュール１２は，ＩＣカードチップ１４およびＰＯＳ端末機２０によって支援されるアプリケーション（ａｐｐｌｉｃａｔｉｏｎ）のうち，トランザクションに使用されるアプリケーションを選択し，使用可能なアプリケーションのリスト（ｌｉｓｔ：目録）を作成した後，このリストの中から１つのアプリケーションを選択する。
【００２６】
このように所望のアプリケーションリストを選択した後，オフカードソフトウェアモジュール１２は，ゲットプロセシングオプション（Ｇｅｔ  Ｐｒｏｃｅｓｓｉｎｇ  Ｏｐｔｉｏｎ）命令，すなわち同期化のための命令をＩＣカードチップ１４に出力することにより，トランザクション処理（ｔｒａｎｓａｃｔｉｏｎ  ｐｒｏｃｅｓｓｉｎｇ）を開始したことを，ＩＣカードチップ１４に通知する。
【００２７】
また，オフカードソフトウェアモジュール１２は，ＩＣカードチップ１４が内蔵された移動体端末機１０の使用者が正当なカード使用者であるかを確認するために，ＰＩＮ（Ｐｅｒｓｏｎａｌ  Ｉｄｅｎｔｉｆｉｃａｔｉｏｎ  Ｎｕｍｂｅｒ：使用者識別番号）として入力されるパスワードが有効であるか否かを判断する。正当使用者であると判断した場合には，オフカードソフトウェアモジュール１２は，処理モードをＩｒＦＭサーバモードに切り換えるための特定キー（ｓｐｅｃｉｆｉｃ  ｋｅｙ）を，使用者が使用するＰＩＮから受け取った後，ＰＯＳ端末機２０への無線リンクを探索して，この無線リンクをＩｒＦＭアプリケーションソフトウェアモジュール１６に接続（連結）するように制御する。
【００２８】
オフカードソフトウェアモジュール１２が上記無線リンクに接続されると，オフカードソフトウェアモジュール１２は，ＰＯＳ端末機２０から信用要請メッセージ（ｃｒｅｄｉｔ  ｉｎｆｏｒｍａｔｉｏｎ  ｒｅｑｕｅｓｔ；クレジット情報要請）を受信する。次いで，オフカードソフトウェアモジュール１２は，オンライン認証かオフライン認証かを決定するための信号である第１のジェネレートアプリケーションクリプトグラム（Ｇｅｎｅｒａｔｅ  Ａｐｐｌｉｃａｔｉｏｎ  Ｃｒｙｐｔｏｇｒａｍ；生成アプリケーション暗号：以下では，「Ｇｅｎｅｒａｔｅ  ＡＣ」という。）を，ＩＣカードチップ１４に提供する。これに対する応答としてオンライン認証が決定された場合には，オフカードソフトウェアモジュール１２は，承認要請（Ａｕｔｈｏｒｉｚａｔｉｏｎ  Ｒｅｑｕｅｓｔ  Ｃｒｙｐｔｏｇｒａｍ：ＡＲＱＣ）メッセージと，上述したメモリに格納された会員情報とを，ＰＯＳ端末機２０に同時に送出する。
【００２９】
さらに，オフカードソフトウェアモジュール１２は，ＰＯＳ端末機２０から上記承認要請メッセージに対する応答として承認応答（Ａｕｔｈｏｒｉｚａｔｉｏｎ  Ｒｅｓｐｏｎｓｅ  Ｃｒｙｐｔｏｇｒａｍ：ＡＲＰＣ）メッセージを受信すると，承認応答メッセージが正常に承認された応答メッセージであるか否かを決定するために，ＩＣカードチップ１４に対し，発行者（ｉｓｓｕｅｒ）認証を行うように要請する。
【００３０】
また，オフカードソフトウェアモジュール１２は，ＩＣカードチップ１４から正常に承認された応答メッセージであるという結果を受信すると，ＰＯＳ端末機２０とのトランザクションを終了するためのトランザクション完了メッセージである第２のＧｅｎｅｒａｔｅ  ＡＣを，ＩＣカードチップ１４に提供する。さらに，オフカードソフトウェアモジュール１２は，トランザクション完了時にＩＣカードチップ１４によって生成されたデジタル領収書を，ＩＣカードチップ１４から受け取る。その後，オフカードソフトウェアモジュール１２は，ＩＣカードチップ１４にカードデータに関して変更データがあるか否かを問い合わせ，変更データがない場合には，デジタル領収書を精算のためにＰＯＳ端末機２０に送出する。
【００３１】
一方，ＩＣカードチップ１４は，オフカードソフトウェアモジュール１２から同期化のためのゲットプロセシングオプション（ｇｅｔ  ｐｒｏｃｅｓｓｉｎｇ  ｏｐｔｉｏｎ）命令を受けると，トランザクション処理を開始するように制御する。また，ＩＣカードチップ１４は，オフカードソフトウェアモジュール１２から提供される上記Ｇｅｎｅｒａｔｅ  ＡＣに応答して，オンラインで認証を要請する信号をオフカードソフトウェアモジュール１２に提供する。
【００３２】
次いで，ＩＣカードチップ１４は，オフカードソフトウェアモジュール１２から受信した発行者認証要請に応じて，正常に承認された応答メッセージであるという結果をオフカードソフトウェアモジュール１２に提供する。さらに，ＩＣカードチップ１４は，オフカードソフトウェアモジュール１２から受信した第２のＧｅｎｅｒａｔｅ  ＡＣ命令に応じて，トランザクション終了時に生成したデジタル領収書を，オフカードソフトウェアモジュール１２に提供する。
【００３３】
また，ＩｒＦＭアプリケーションソフトウェアモジュール１６は，ＩｒＦＭサーバモードに切り換えるための特定キーを，使用者が使用するＰＩＮから受け取ると，自身をＰＯＳ端末機２０に接続する無線リンクを探して，接続する。次いで，ＩｒＦＭアプリケーションソフトウェアモジュール１６は，ＰＯＳ端末機２０から，トランザクション完了メッセージ（取引完了メッセージ）であるＩｒＦＭ遮断要求メッセージを受信すると，ＩｒＦＭを遮断して，接続された全てのセッション（ｓｅｓｓｉｏｎ）を解除する。
【００３４】
ＰＯＳ端末機２０は，少なくとも１つのＩＣカードスロットを内蔵した端末機である。このＰＯＳ端末機２０は，基本的なＥＭＶ端末機のキーパッド，ａｌｐｈａｎｕｍｅｒｉｃ  ＬＣＤ（Ｌｉｑｕｉｄ  Ｃｒｙｓｔａｌ  Ｄｉｓｐｌａｙ）ユニットと，このＬＣＤユニットとは別のＰＩＮキーパッドとディスプレイユニットなどのユーザインタフェースを備えている。かかるＰＯＳ端末機２０は，無線リンク接続のためのＩｒＦＭ接続要請メッセージを移動体端末機１０内のオフカードソフトウェアモジュール１２に送出し，また，信用要請メッセージをオフカードソフトウェアモジュール１２に送出する。
【００３５】
さらに，ＰＯＳ端末機２０は，オフカードソフトウェアモジュール１２から承認要請（ＡＲＱＣ）メッセージと，会員情報とを受信すると，会員情報を通信サービス会社（Ａ）に提供するとともに，同時に，承認要請（ＡＲＱＣ）メッセージをＶＡＮ（Ｖａｌｕｅ  Ａｄｄｅｄ  Ｎｅｔｗｏｒｋ；付加価値通信網）（Ｂ）を通じてカード会社（Ｃ）に提供する。
【００３６】
その後，ＰＯＳ端末機２０は，カード会社（Ｃ）から承認応答（ＡＲＰＣ）メッセージを受信して，オフカードソフトウェアモジュール１２に送出する。また，ＰＯＳ端末機２０は，オフカードソフトウェアモジュール１２からデジタル領収書を受信した後，精算のために銀行サーバ（図示せず。）に領収書を提供し，この銀行サーバから所定の精算金額を受ける。最終的には，ＰＯＳ端末機２０は，ＩｒＦＭ遮断要求メッセージをオフカードソフトウェアモジュール１２に送出して，全てのセッション（ｓｅｓｓｉｏｎ；情報の伝達処理）を終了する。
【００３７】
次に，以上のような構成のシステムを利用した本実施形態にかかるＩｒＦＭを用いたＥＭＶ支払処理方法について，図３ａおよび図３ｂのフローチャートを参照しながら詳細に説明する。
【００３８】
まず，本実施形態にかかる移動体端末機１０とＰＯＳ端末機２０との間でＩｒＦＭ方式を利用し，ＩＣカードチップ１４に基づいてＥＭＶ支払処理方法を行うときには，両方向通信によるオンライントランザクションが実行される。換言すると，使用者がある商品を購入したときの支払手段として上記移動体端末機１０を利用するとき，ソフトウェアモジュールとしてオフカードソフトウェアモジュール１２およびＩｒＦＭアプリケーションソフトウェアモジュール１６とが組み込まれた移動体端末機１０と，ＰＯＳ端末機２０との間で最適化された両方向通信トランザクションが行われる。
【００３９】
以下に，この最適化された両方向トランザクションについて詳細に説明する。
【００４０】
図３ａに示すように，まず，ステップ３０１では，移動体端末機１０内のオフカードソフトウェアモジュール１２は，移動体端末機１０の使用者についての会員情報を，ＩＣカードチップ１４から選択して読み出して，メモリ（図示せず。）に一時的に格納する。次いで，オフカードソフトウェアモジュール１２は，ＩＣカードチップ１４およびＰＯＳ端末機２０によって支援されるアプリケーションの中で，トランザクションに使用されるアプリケーションを選択する。さらに，オフカードソフトウェアモジュール１２は，使用可能なアプリケーションのリストを作成し，このリストの中から１つのアプリケーションを選択する（ステップ３０１）。
【００４１】
上記のようにアプリケーションリストの中から一つを選択した後，ステップＳ３０２では，オフカードソフトウェアモジュール１２は，同期化のためのゲットプロセシングオプション命令をＩＣカードチップ１４に提供して，トランザクション処理が開始されたことをＩＣカードチップ１４に通知する（ステップＳ３０２）。
【００４２】
上記のようにＩＣカードチップ１４にトランザクション処理の開始を通知した後，ステップＳ３０３では，オフカードソフトウェアモジュール１２は，ＩＣカードチップ１４から，トランザクション処理に必要なデータを読み出す（ステップＳ３０３）。
【００４３】
さらに，ステップＳ３０４では，まず，オフカードソフトウェアモジュール１２は，オンライン認証に基づいて，ＩＣカードチップ１４が内蔵された移動体端末機１０使用者が正当なカード使用者であるか否かを決定する。ＰＩＮとして入力されたパスワードを確認し，このパスワードが有効である場合，オフカードソフトウェアモジュール１２は，処理モードをＩｒＦＭサーバモードに切り換えるための特定キーを，使用者が使用するＰＩＮから受け取る。その後，オフカードソフトウェアモジュール１２は，ＰＯＳ端末機２０への無線リンクを探索し，ＩｒＦＭアプリケーションソフトウェアモジュール１６が，探索した無線リンクを介してＰＯＳ端末機２０に接続されるように制御する（ステップＳ３０４）。
【００４４】
上記のように特定キーをＰＩＮとして受け取った後，ステップＳ３０５では，ＩｒＦＭアプリケーションソフトウェアモジュール１６は，ＰＯＳ端末機２０から継続的に伝送されてくる無線リンク接続のためのＩｒＦＭ接続要請メッセージに応じて，上記無線リンクを探索し，ＰＯＳ端末機２０に接続する（ステップＳ３０５）。
【００４５】
上記のように無線リンクが連結された後，ステップＳ３０６では，オフカードソフトウェアモジュール１２は，ＰＯＳ端末機２０から受信した信用要請メッセージに応じて，オンライン認証またはオフライン認証を決定するための第１のＧｅｎｅｒａｔｅ  ＡＣを，ＩＣカードチップ１４に提供する（ステップＳ３０６）。
【００４６】
次いで，ステップＳ３０７では，ＩＣカードチップ１４は，オフカードソフトウェアモジュール１２から受信した第１のＧｅｎｅｒａｔｅ  ＡＣに応答して，オンライン認証決定（オンラインで認証を行うようにするという決定結果）の信号を，オフカードソフトウェアモジュール１２に提供する（ステップＳ３０７）。
【００４７】
さらに，ステップＳ３０８では，オフカードソフトウェアモジュール１２は，上記のようなオンライン認証決定をＩＣカードチップ１４から受信した場合，承認要請（ＡＲＱＣ）メッセージと，上記のメモリに格納されている会員情報とを，ＰＯＳ端末機２０に同時に送出する（ステップＳ３０８）。
【００４８】
その後，ステップＳ３０９およびＳ３１０では，ＰＯＳ端末機２０は，オフカードソフトウェアモジュール１２から上記承認要請（ＡＲＱＣ）メッセージおよび会員情報を受信した後，当該会員情報を通信サービス会社（Ａ）に提供し（ステップＳ３０９），承認要請（ＡＲＱＣ）メッセージをＶＡＮ（Ｂ）を介してカード会社（Ｃ）に提供する（ステップＳ３１０）。
【００４９】
次いで，ステップＳ３１１では，ＰＯＳ端末機２０は，カード会社（Ｃ）から承認応答（ＡＲＰＣ）メッセージを受信して，オフカードソフトウェアモジュール１２に送出する（ステップＳ３１１）。
【００５０】
さらに，ステップＳ３１２では，オフカードソフトウェアモジュール１２は，承認要請（ＡＲＱＣ）メッセージに対する応答として承認応答（ＡＲＰＣ）メッセージをＰＯＳ端末機２０から受信した後，承認応答メッセージが正常に承認された応答メッセージであるか否かを確認するために，ＩＣカードチップ１４に対して発行者認証を実行するように要請する（ステップＳ３１２）。
【００５１】
その後，ステップＳ３１３では，ＩＣカードチップ１４は，オフカードソフトウェアモジュール１２からの発行者認証要請に応じて，正常に承認された応答メッセージであるという結果をオフカードソフトウェアモジュール１２に提供する（ステップＳ３１３）。
【００５２】
次いで，ステップＳ３１４では，オフカードソフトウェアモジュール１２は，ＩＣカードチップ１４から正常に承認された応答メッセージであるという結果メッセージを受けると，ＰＯＳ端末機２０とのトランザクションを終了するためのトランザクション完了メッセージである第２のＧｅｎｅｒａｔｅ  ＡＣを，ＩＣカードチップ１４に提供する（ステップＳ３１４）。
【００５３】
さらに，ステップＳ３１５では，ＩＣカードチップ１４は，オフカードソフトウェアモジュール１２から提供される第２のＧｅｎｅｒａｔｅ  ＡＣに応じて，トランザクション完了時に生成されるデジタル領収書を，オフカードソフトウェアモジュール１２に提供する（ステップＳ３１５）。
【００５４】
その後，ステップＳ３１６では，オフカードソフトウェアモジュール１２は，ＩＣカードチップ１４から上記デジタル領収書を受け取った後に，ＩＣカードチップ１４に対して，カードデータに関して変更されたデータがあるか否かを問い合わせる。変更されたデータがあった場合には，オフカードソフトウェアモジュール１２は，変更されたデータに応じて上記デジタル領収書を編集する。その後，オフカードソフトウェアモジュール１２は，変更されたデータがあった場合には編集後のデジタル領収書を，変更されたデータがない場合にはそのままのデジタル領収書を，ＰＯＳ端末機２０に送出する（ステップＳ３１６）。
【００５５】
次いで，ステップＳ３１７では，ＰＯＳ端末機２０は，オフカードソフトウェアモジュール１２から上記デジタル領収書を受信した後，精算のために銀行サーバに領収書を提供するとともに，この銀行サーバから精算金額を電子的に受け取る。さらに，ＰＯＳ端末機２０は，ＩｒＦＭ遮断要求メッセージを，オフカードソフトウェアモジュール１２に送出して，全てのセッションを終了する（ステップＳ３１７）。
【００５６】
次いで，ステップＳ３１８では，オフカードソフトウェアモジュール１２は，ＰＯＳ端末機２０からＩｒＦＭ遮断要求メッセージを受信すると，ＩｒＦＭを遮断して，全てのセッションを終了する（ステップＳ３１８）。
【００５７】
以上のような本実施形態にかかるＩＣカードチップが内蔵された移動体端末機は，ガソリンスタンド，自動販売機（Ｖｅｎｄｉｎｇ  Ｍａｃｈｉｎｅ），料金所施設（トールゲート），駐車場の出入統制装置などに関する支払処理に好適に適用できる。このように，本発明によるＩｒＦＭを利用したＥＭＶ支払処理方法を行う移動体端末機は，多様な分野に適用できる。
【００５８】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００５９】
【図１】従来のＥＭＶ支払処理方法を説明するためのフローチャートである。
【図２】本発明の第１の実施形態にかかるＩｒＦＭを利用したＥＭＶ支払処理方法を行うシステムのブロック図である。
【図３ａ】図３ａは，本発明の第１の実施形態にかかるＩｒＦＭを利用したＥＭＶ支払処理方法を説明するためのフローチャートである。
【図３ｂ】図３ｂは，本発明の第１の実施形態にかかるＩｒＦＭを利用したＥＭＶ支払処理方法を説明するためのフローチャートである。
【図１】
2005507533.tif 000003
【図２】
2005507533.tif 000004
【図３ａ】
2005507533.tif 000005
【図３ｂ】
2005507533.tif 000006
【国際公開パンフレット】
2005507533.tif 000007
2005507533.tif 000008
2005507533.tif 000009
2005507533.tif 000010
2005507533.tif 000011
2005507533.tif 000012
2005507533.tif 000013
2005507533.tif 000014
2005507533.tif 000015
2005507533.tif 000016
2005507533.tif 000017
2005507533.tif 000018
2005507533.tif 000019
2005507533.tif 000020
2005507533.tif 000021
2005507533.tif 000022
2005507533.tif 000023
2005507533.tif 000024
2005507533.tif 000025
2005507533.tif 000026
2005507533.tif 000027
2005507533.tif 000028
2005507533.tif 000029
2005507533.tif 000030
2005507533.tif 000031
2005507533.tif 000032
【国際調査報告】
2005507533.tif 000033